(57)【特許請求の範囲】
【請求項１】
互いに導電接続され、隣り合い且つ／又は重なり合った複数のマイクロ電子構成素子を備えたマイクロシステムの製作法であって、キャビティが形成されるように、複数層から構成される基体を形成し、且つ、当該キャビティに、コンタクトパッドを有するマイクロ電子構成素子を挿入し、電子構成素子（１３）の前記キャビティへの挿入後もパッドの上に開口が形成されるように基体（２０）の形成を継続し、該パッドを覆って垂直方向で上昇するように、導電性の材料から成る導体構造体（２３，２６）を構成し、該導体構造体が、電子構成素子の上位に配置されるべき別の電子構成素子（１３′）との直接的な導電接続を形成するか、若しくは、導体構造が、水平方向で延びる導体路（２４）を介して、電子構成素子の側方に離れて配置された別の１つ又は複数の電子構成素子への導電接続を形成するものであって、
少なくとも１対のローラ（１，１′；１″，１′″）間でマイクロシステムを層状に構成し、ローラ間の領域に光硬化可能な液体を充填し、各液体層の露光を、ローラ及びその時々の層構造に対応したマスクを介して行うことを特徴とする、マイクロシステムの製作法。
【請求項２】
垂直方向で上昇する導体構造を、連続した層内でパッド（２２）の上位にあけられた開口内にスクリーン印刷で形成し、この場合、光硬化可能な材料層内でパッド（２２）の上位にあけられた開口を導電性の材料で満たし、その後最終的に水平方向で延びる導体路を印刷する、請求項１記載の方法。
【請求項３】
前記の導電性の材料が接着剤である、請求項２記載の方法。
【請求項４】
ローラ（２，３）間の間隔が可変の少なくとも１対のローラ（１，１′，１″，１′″）が設けられており、該ローラ対（１，１′，１″，１′″）の各１つのローラ（２）が露光ローラとして電磁波透過性材料から成っており、該ローラ（２）内に電磁波送出源（５）が光源として配置されており、電磁波透過域及び非透過域を備えた、各露光ローラ（２）に対応配置されたマスク（１０）が設けられており且つ少なくとも１対のローラ（１，１′，１″，１′″）を通って案内される基板支持体シート（７）が、形成される構造体（１１）のためのベースとして設けられており、少なくとも１つのローラ対（１，１′，１″，１′″）に、洗浄装置及び少なくとも１つのスクリーン印刷装置が後置されていることを特徴とする、請求項１〜３までのいずれか1項記載の方法を実施するための装置。
【請求項５】
マスクが露光ローラ（２）の表面に被着されている、請求項４記載の装置。
【請求項６】
露光ローラ（２）において、光源（５）とローラ表面との間に定置の露光スリット（６）が配置されており、マスクが、スリット（６）の下位で露光ローラ（２）の表面の傍らを案内される帯状シート（１０）として形成されている、請求項４又は５記載の装置。
【請求項７】
複数のローラ対が連続して相前後して配置されている、請求項４から６までのいずれか1項記載の装置。
【請求項８】
ローラ対（１，１′，１″，１′″）間にシート巻成体（１１２，１５）が配置されており、該シート巻成体のシートが、前記電子構成素子（１３）のための支持体として形成されている、請求項４から７までのいずれか１項記載の装置。
【請求項９】
ローラ対（１，１′，１″，１′″）間にシート巻成体が配置されており、シートが同一の又は異なる物理的若しくは化学的特性を有している、請求項４から７までのいずれか１項記載の装置。
【請求項１０】
少なくとも露光ローラ（２）に付着防止コーティングが施されている、請求項４から９までのいずれか１項記載の装置。
【請求項１１】
少なくとも１つのローラ対（１，１′，１″，１′″）に少なくとも１つの加熱装置が後置されている、請求項４から１０までのいずれか１項記載の装置。
【発明の詳細な説明】
【技術分野】
【０００１】
本発明は、キャビティを備えたマイクロシステムの製作法であって、前記キャビティを、光硬化可能な材料から隣り合い且つ／又は複数の平面内で重なり合って層状に構成される基体の構成時に切り欠き且つ当該キャビティに、互いに導電接続又は熱伝導接続されるマイクロ電子構成素子を挿入し、電子構成素子の前記キャビティへの挿入後も基体の層構成を継続し、電子構成素子のコンタクト（パッドとも云う）を覆って垂直方向で上昇するように、導電性又は熱伝導性の材料から成る構造体を構成し、該導体材料が、電子構成素子の上位に配置されるべき別の電子構成素子との直接的な接続を形成するか、若しくは水平方向で延びる導体路を介して、パッドから上昇する導体材料から、電子構成素子の側方に離れて配置された別の１つ又は複数の電子構成素子への導電接続を形成する形式のものに関する。
【０００２】
更に、本発明は該製作法を実施するための装置に関する。
【０００３】
光硬化可能な材料から成るマイクロ構造体及びマイクロシステム全体の層状構成は、例えばドイツ連邦共和国特許第４４２０９９６号明細書から公知である。そこに記載された方法では、２枚の平行平面のプレート間で、光硬化可能な液体が表面張力だけによって保持されている。一方のプレートは電磁波透過性である。
【０００４】
１台のＰＣに３Ｄモデルが個々の層に分解されてメモリされている。個々の層を呼び出すことにより、層構造が電磁波送出源を介して平行平面のプレートを通って隣接する液体層に伝達される。この場合、露光された面は硬化する一方で、露光されない液状のままの領域は除去される。当該の層の完成後、プレートは別の層の厚さだけ離反運動され、これにより、液体が後流して新たな露光過程を行うことができる。
【０００５】
但し、この技術によって大量個数のマイクロ構造体を製作することは不可能である。それというのも、各装置においてそれぞれ制限された数のマイクロ構造体しか形成することができないからである。
【０００６】
従って、発明者は非公開の特許出願第１０１４４５７９．２号明細書で、平面平行なプレートの代わりに、別のローラ対が接続可能なローラ対を設けることを提案した。
【０００７】
この装置によって、構成しようとする構造体の個々の層が、制限面を形成する、対向位置する各２つのローラ間で形成され、この場合、各ローラ対のローラ間隔は、形成しようとする層の厚さ及び既存の層の厚さによって規定されている。第１の層が、ローラ間を通走する基板支持体シート状に付与され、形成しようとする層の露光は一方のローラによって行われる。
【０００８】
このローラは電磁波送出源を有している。ローラ間に存在する光硬化可能な液体の露光は、その時々の層構造に対応したマスクを通して行われ、このマスクはその時々の露光ローラの表面に設けられているか、又は別個のシートとしてローラ対のローラ間を通って案内されてもよい。
【０００９】
このような装置では、ローラ対にそれぞれ洗浄装置が後置されており、これらの洗浄装置では、硬化されなかった材料が洗い落とされる。既に形成された構造体に存在するキャビティを例えば電子構成素子で埋めるためには、別のステーションが設けられている。各電子構成素子を挿入した後も、マイクロ構造体の形成は継続される。このような方法は、大量の「部数」を最短時間で作成するという共通の利点を有する輪転印刷を思い起こさせる。
【００１０】
しかし、従来は個々の電子構成素子を互いに導電接続若しくは熱伝導接続することは困難であり、このことは同一平面内の電子構成素子にも、異なる平面内の電子構成素子にも云える。
【００１１】
従って本発明の課題は、冒頭で述べた形式の方法を改良して、マイクロ構造体の形成中でも同時に個々の電子構成素子間で導電接続若しくは熱伝導接続が行われるようにすることである。
【００１２】
本発明はこの課題を請求項１の特徴部に記載の手段に基づいて、少なくとも１対のローラ間でマイクロシステムを層状に構成し、ローラ間の領域に光硬化可能な液体を充填し、各液体層の露光を、ローラ及びその時々の層構造に対応したマスクを介して行うことによって解決する。
【００１３】
これにより本発明は、マイクロシステムの構造体構成を中断すること無く、事実上方法に組み込んで、導体接続を垂直方向でも水平方向でも形成することを可能にする。
【００１４】
請求項２記載の変化態様では、垂直方向で上昇する導体構造を、連続した層内でパッドの上位にあけられた開口内にスクリーン印刷で形成し、この場合、光硬化可能な材料層内でパッドの上位にあけられた開口を導電性の材料で満たし、その後最終的に水平方向で延びる導体路を印刷するということを提案する。
【００１５】
前記スクリーン印刷法に特に適しているのは導電性接着剤であるということが判った（請求項３）。接着特性に基づいて、パッドに対しても、重なり合った層の導体構造の構成時にも、良好な電気的コンタクトが得られる。
【００１６】
水平方向で延びる導体路は、第１の構成素子の側方に配置された構成素子に通じている。当該方法を継続することにより、構造体は引き続き構成可能であり、この場合、前記の側方に配置された構成素子から、請求項２記載の方法に基づいて、別の接続部が上向きで形成される。
【００１７】
導電性接着剤をより迅速に硬化させるためには、例えば連続加熱炉から成っていてよい加熱源が設けられている。
【００１８】
このようにして形成されるマイクロシステムにおいて高パッケージ密度を実現できるようにするためには、今説明したように電子構成素子が上方から接触接続可能であるばかりでなく、下方からも接触接続の可能性が与えられると望ましい。つまり、重なり合って配置された電子構成素子（例えばチップ）間に直接的な導電接続を形成することができる。
【００１９】
このことは、有利には、垂直方向で上昇する導電性の構造体を、対応する型板の開口を介して各パッドに付与されるはんだペースト堆積物から形成し、このはんだペースト堆積物を、次のステップで型板を取り外した後に加熱によってはんだボール（バンプ）に成形し、基体を引き続き層状に構成し且つ適当なキャビティを形成した後で、該キャビティに、予め形成したバンプが加熱によって第２の構成素子のパッドと接続されるように、別の電子構成素子を挿入することによって行われる。
【００２０】
このようにして、上向きのパッドを有するチップが、その上に配置された、下向きのパッドを有するチップと接続されている。
【００２１】
バンプの第２の加熱は、加熱装置を備えたローラが設けられた、後置されたローラハウジング内で行うことができる。
【００２２】
但しこの場合、前記方法に基づいた対応バンプ形成にもかかわらず、前記のような構成を前掲のドイツ連邦共和国特許第４４２０９９６号明細書で説明された方法によって形成する可能性もある。
【００２３】
勿論、請求項２記載の方法とバンプ形成の方法を互いに組み合わせることができる。例えば、まず最初にスクリーン印刷技術（導電性接着剤）を用いて作業し、次いで（２つの電子構成素子を互いに重ね合わせて直接に接続しようとする場合は）「バンプ技術」を用いて作業する。
【００２４】
本発明の別の改良は、請求項４〜１１に記載されている。
【００２５】
以下に、本発明の実施例を図面につき詳しく説明する。
【００２６】
図１〜図５には各１対のローラが示されており、全体的に符号１を付されている。本発明による装置に関しては、ｎ対のローラが互いに直列接続されているものと考えられる。この場合、ｎは構造高さ若しくはこのような構造が有すべき特性に関連している。しかし択一的に、通過毎にローラの間隔が層厚さだけ増大する１対のローラが設けられていてもよい。
【００２７】
図１には、装置内の第１のローラ対が示されている。このローラ対は（原則として他のローラ対も同様に）、電磁波透過性材料を要求する露光ローラ２と、対応ローラ３とから成っており、これらのローラ間にはローラギャップ４が介在している。露光ローラ２内には電磁波送出源５（ＵＶ源、レーザ等）が配置されている。ローラ２の、光源５とローラギャップ４との間には定置の露光スリット６が位置している。ローラギャップを通って基板支持体シート７が案内され、この基板支持体シート７と露光ローラ２との間には、付着力によって保持された光硬化可能な液体８が供給されている。露光ローラ２の表面にはマスク（例えばクロム・ガラスマスク）が被着され、このマスクは形成しようとする第１の層の層地形に関するネガを成している。
【００２８】
液体８は、光源５によって露光スリット６を介して露光される。光が液体中に侵入可能なところ（即ちマスクによって除去されないところ）で液体が重合して固まる。これにより、形成しようとする構造体の第１の層９が生ぜしめられる。
【００２９】
図２には、それ自体は同一の装置が示されている。但し、この場合はマスクが露光ローラ２の表面に被着されているのではなく、露光シート１０の形で露光スリットと液体表面との間を通って案内される。
【００３０】
図３には、図１及び図２に示したローラ対１に後置されたローラ対１′が示されており、このローラ対１′によって、第２の層９′が第１の層９の上に、図１及び図２に関して説明したのと同一形式で形成される。この場合、第２の層９′を形成するための物質は第１の層９の物質と同じであってよいが、異なる特性を有する別の材料から成っていてもよい。
【００３１】
図４にもやはりローラ対１″が示されており、このローラ対１″には既に凹部の設けられた、予め形成された構造体１１が到来し、そこでリール１２によって供給される（例えば）構成素子１３が実装される。これらの構成素子１３はシート１４に付着している。構成素子１３が構造物１１の凹部に挿入された後で、当該構成素子１３は剥離ナイフ１６によってシート１４から剥離される。凹部内で構成素子１３を固定するためには、上で説明したような形式で、やはり光硬化可能な物質を用いて作業する接着技術が使用可能である。
【００３２】
図５に示した最後のローラ対１′″では、完成した構造体１１が保護及び搬送用にカバーシート１５で覆われる。この場合も、上で説明した方法によって、シートの構造体１１との接着を行うことができる。
【００３３】
化学的、物理的及び生物的な特性に関連して、図５に示したのと同様に、製作時、つまり構造体１１の形成時でも、構造体の個々の層を形成するシートを供給することができる
。
【００３４】
但し、本発明は図１〜図５に示した実施例に限定されるものではない。
【００３５】
図６に示した、既に大幅に進展したマイクロシステム構造体は、シート上に層状に構成されている。構成された基体には符号２０が付されている。この基体２０の構成中にあけられたキャビティ２１には電子素子１３（この場合はマイクロチップ）が挿入された。基体構造２０の引き続く構成に際して、パッド２２の上位で個々の層に開口が設けられ、これらの開口は、層毎に導電性接着剤によってスクリーン印刷法で充填される。このようにして、垂直方向で上昇する構造体２３が導電性材料から生ぜしめられ、次いでこの構造体２３から（図示のように）やはりスクリーン印刷法によって水平方向に延びる導体路２４が、基体２０の目下の最終層に付与される。当該の１導体路又は複数の導体路は、別の電子構成素子又は側方のコンタクトに通じており、これにより、電気的な機能が実現される。
【００３６】
図７には、２つの電子構成素子（この場合は２つのマイクロチップ）がどのように垂直方向で重なり合って互いに直接に導電接続され得るのかが示されている。
【００３７】
図７ａには、図６においてシート７上に基体２０が構成されているのと同様の状態が示されており、基体２０内の適当なキャビティには既にマイクロチップ１３が挿入されている。電気的な接続部（パッド）２２は上を向いている。これらのパッド２２の上位で基体２０の材料に複数の開口があけられており、これらの開口は、型板２５に設けられた開口に対応している。今、型板２５の開口を介してはんだペーストが供給され、このはんだペーストがパッド２２の上位の空間を満たしている。
【００３８】
図７ｂには型板２５を取り外した後の状態が示されている。パッド２２の上位にはんだペースト堆積物２６が残されている。
【００３９】
次のステーションでこれらのはんだペースト堆積物２６は加熱され、その結果、はんだペーストは液状になり、いわゆるバンプ２７を形成する。この状態は図７ｃに示されている。
【００４０】
図７ｄでは、引き続き基体２０が構成されており、この場合、付加的なキャビティ２８が生ぜしめられている。今、この付加的なキャビティ２８にパッド２２′を備えた別のマイクロチップ１３′が下向きで挿入される。パッド２２′は、再び凝固したはんだバンプ２７に支持される。
【００４１】
今、一方のローラに加熱装置の設けられた次のローラ装置において、第２のマイクロチップ１３′がキャビティ２８に押し込まれ、加熱に基づいてはんだバンプが再び液状になって、パッド２２′に対する電気的なコンタクトが製作される。
【００４２】
この状態は図７ｅに示されている。
【００４３】
この後、マイクロ構造体若しくはマイクロシステムの更なる層状構成を上で説明したように進めることができる。この場合、図６及び図７ａ〜ｅに示した変化態様を互いに組み合わせることもできる。
【図面の簡単な説明】
【００４４】
【図１】第１の基板層形成時のローラ対を示した図である。
【図２】図１に示したローラ対をマスクシートと一緒に示した図である。
【図３】第２の層形成時のローラ対を示した図である。
【図４】ローラ対及び挿入しようとする構成素子の供給装置を示した図である。
【図５】ローラ対をシート供給装置と一緒に示した図である。
【図６】導電性接着剤から成る導体路を備えた、光硬化可能な材料から成る構造体の構成を示した図である。
【図７】図７ａ〜図７ｅは、それぞれ重なり合った２つの電子構成素子間で導電接続を形成するための方法ステップを示した図である。
【図１】
0004567466.tif 000002
【図２】
0004567466.tif 000003
【図３】
0004567466.tif 000004
【図４】
0004567466.tif 000005
【図５】
0004567466.tif 000006
【図６】
0004567466.tif 000007
【図７ａ】
0004567466.tif 000008
【図７ｂ】
0004567466.tif 000009
【図７ｃ】
0004567466.tif 000010
【図７ｄ】
0004567466.tif 000011
【図７ｅ】
0004567466.tif 000012